(57)【要約】【課題】  本発明は、緻密な網点構成を用いることにより、可視光源下における拡散光領域及び正反射光領域という異なる観察条件において、二つの画像を視認可能な印刷物を提供する。【解決手段】  基材の少なくとも一部に印刷領域が形成され、この印刷領域は、観察角度を拡散光領域から正反射光領域へ変化させると色が変化する材料から成る第１の層と、第１の層の上に、第１の層の色変化をさせない隠蔽材料により形成された第２の層と、第２の層の上に、有色インキを用いた網点により可視画像が形成された第３の層により構成され、第２の層と第３の層の同じ位置にくり抜き領域を形成して第１の層を露出させて潜像画像を形成した印刷物である。【選択図】  図６
2011218741.tif 000002
【特許請求の範囲】
【請求項１】
基材の少なくとも一部に印刷領域が形成され、
前記印刷領域は、定位置の照明光源に対して観察角度を拡散光領域から正反射光領域へ変化させることで、色が変化する材料から成る第１の層と、
前記第１の層の上に、定位置の照明光源に対して観察角度を拡散光領域から正反射光領域へ変化させても、前記第１の層の色を変化させないように隠蔽するための隠蔽材料から成る第２の層と、
前記第２の層の上に、有色インキにより形成された第３の層から成り、
前記第２の層は、前記第１の層を隠蔽する第１の隠蔽領域と、隠蔽面積率が前記第１の隠蔽領域と同じ又は低い第２の隠蔽領域から成り、前記第２の隠蔽領域内には、一部がくり抜かれた第１のくり抜き領域を有し、
前記第３の層は、連続階調画像を表現するための網点を構成する一つの第１の領域と、前記第１の領域に隣接し、かつ、前記第１の領域よりも小さい一つの第２の領域とが複数組配置され、各々の前記第２の領域の周囲が、複数の前記第１の領域により囲まれ、前記第３の層により可視画像が形成され、
前記第２の領域は、一部がくり抜かれた第２のくり抜き領域と、前記第２のくり抜き領域を囲むカムフラージュ領域から成り、
前記第１のくり抜き領域と、前記第２のくり抜き領域は同じ箇所に配置されることで潜像領域が形成され、前記潜像領域を複数配置することで潜像画像が形成され、
前記カムフラージュ領域と前記潜像領域が拡散光領域において等色となるように形成されることにより、可視光源下の拡散光領域では前記可視画像が視認され、観察角度を異ならせることで前記潜像領域及び前記カムフラージュ領域の色差ΔＥが所定の値変化し、前記潜像領域における前記第１の層の光沢により形成された潜像画像が視認可能なことを特徴とする潜像画像を有する印刷物。
【請求項２】
前記第１のくり抜き領域と、前記第２のくり抜き領域は、大きさ及び形状が等しいことを特徴とする請求項１記載の潜像画像を有する印刷物。
【請求項３】
基材の少なくとも一部に印刷領域が形成され、
前記印刷領域は、定位置の照明光源に対して観察角度を拡散光領域から正反射光領域へ変化させることで、色が変化する材料から成る第１の層と、
前記第１の層の上に、定位置の照明光源に対して観察角度を拡散光領域から正反射光領域へ変化させても、色を変化させないように隠蔽するための隠蔽材料から成る第２の層と、
前記第２の層の上に、有色インキにより形成された第３の層から成り、
前記第２の層は、前記第１の層を隠蔽する第１の隠蔽領域と、隠蔽面積率が前記第１の隠蔽領域と同じ又は低い第２の隠蔽領域と、前記第２の隠蔽領域内に、前記第２の隠蔽領域よりも隠蔽面積率が低い第１の潜像領域から成り、
前記第３の層は、連続階調画像を表現するための網点を構成する一つの第１の領域と、前記第１の領域に隣接し、かつ、前記第１の領域よりも小さい一つの第２の領域とが複数組配置され、各々の前記第２の領域の周囲が、複数の前記第１の領域により囲まれ、前記第３の層により可視画像が形成され、
前記第２の領域は、透過率２０％以上のインキ層で形成され、
前記第２の隠蔽領域と前記第２の領域は同じ位置に積層されることで、前記第１の潜像領域と前記第１の潜像領域と同じ位置に積層された前記第２の領域により潜像領域が形成され、前記第１の潜像領域を除く前記第２の隠蔽領域と同じ位置に積層された前記第２の領域によりカムフラージュ領域が形成されて、前記潜像領域が複数配置されることで潜像画像が形成され、
前記カムフラージュ領域と前記潜像領域が拡散光領域において等色となるように形成することにより、可視光源下の拡散光領域では前記可視画像が視認され、観察角度を異ならせることで、潜像領域及びカムフラージュ領域の色差ΔＥが所定の値変化し、前記潜像領域における前記第１の層の光沢により形成された潜像画像が視認可能なことを特徴とする潜像画像を有する印刷物。
【請求項４】
前記第２の領域は、透過率２０％以上のインキ層で形成された第２の潜像領域と、前記第１の潜像領域と同じ位置に積層された前記第２の潜像領域と拡散光領域において等色となるように前記第２の隠蔽領域と同じ位置に積層されたインキ層で形成されたカムフラージュ領域から成り、前記第１の潜像領域と前記第２の潜像領域が同じ箇所に配置されていることを特徴とする請求項３記載の潜像画像を有する印刷物。
【請求項５】
前記第２の潜像領域と前記カムフラージュ領域は、異なる色のインキにより形成されていることを特徴とする請求項４記載の潜像画像を有する印刷物。
【請求項６】
前記第２の領域は、前記第１の領域の透過率と同じ又は高い透過率のインキ層で形成されていることを特徴とする請求項３乃至５のいずれか１項記載の潜像画像を有する印刷物。
【請求項７】
前記第１の層は、基材自体が定位置の照明光源に対して観察角度を拡散光領域から正反射光領域へ変化させることで色が変化する材料により形成されていることを特徴とする請求項１乃至６のいずれか１項記載の潜像画像を有する印刷物。
【請求項８】
前記第１の層は、基材が紙又はプラスチックフィルムから成り、前記基材の上に定位置の照明光源に対して観察角度を拡散光領域から正反射光領域へ変化させることで前記色が変化する材料が付与されていることを特徴とする請求項１乃至６のいずれか１項記載の潜像画像を有する印刷物。
【請求項９】
前記色が変化する材料は、定位置の照明光源に対して、観察角度を拡散光領域から正反射光領域へ変化させることにより、拡散光領域における前記潜像領域と前記カムフラージュ領域との色差ΔＥに対して、正反射領域における前記潜像領域と前記カムフラージュ領域との色差ΔＥが５以上変化する材料であることを特徴とする請求項１乃至８のいずれか１項記載の潜像画像を有する印刷物。
【請求項１０】
前記色が変化する材料が、光輝性材料であり、光輝性材料が金属粉インキ、フォイル、金属又は金属光沢調フィルムのいずれかの材料であることを特徴とする請求項９記載の潜像画像を有する印刷物。
【請求項１１】
前記有色インキは、シアン、マゼンタ、イエロー及びブラックのインキであることを特徴とする請求項１乃至１０のいずれか１項記載の潜像画像を有する印刷物。
【発明の詳細な説明】
【技術分野】
【０００１】
本発明は、銀行券、旅券、有価証券、商品タグ及び各種証明書等に偽造及び複製の防止用として施す潜像画像を有する印刷物に関するものである。
【背景技術】
【０００２】
近年、複写機の高機能化及び高画質化により、銀行券、旅券、有価証券等の貴重印刷物の偽造製品が出回り、深刻な問題となっている。そのため、従来から貴重印刷物には、複写機で色、光沢又は発光等の再現が困難な機能性インキが多く用いられている。機能性インキには、金インキ、銀インキ又はパールインキ等の金属光沢インキ、赤外線領域において吸収特性を示す赤外線吸収インキ等がある。赤外線吸収インキを用いた印刷物を真偽判別する際には、赤外線カメラ等の鑑定装置を必要とすることから、鑑定装置がなければ目視で赤外線吸収インキ印刷部を判別することは困難である。反対に、金属光沢インキを用いた印刷物を真偽判別する際には、光沢や色の変化に留意するだけで良く、誰でも簡単に目視で判別することができる。
【０００３】
そこで、本出願人は、背景画像部と潜像画像部のどちらか一方を金属光沢インキを用い、他方を赤外線吸収インキ又は赤外線透過インキを用いて、可視光源下において等色となるように印刷することで、観察角度を変化させることにより潜像画像が視認可能な印刷物を開示している（例えば、特許文献１参照）。
【０００４】
また、本出願人は、真偽判別の際には、赤外線カメラ等の鑑定装置を要するものの、特殊な網点構成を用いることで、現在の写真製版装置での複製が非常に困難であり、偽造防止効果に優れた網点印刷物を開示している（例えば、特許文献２参照）。
【０００５】
本出願人が先に出願した特許文献２は、二つの領域が複数配置されることで階調画像を構成している印刷物であって、第２の領域の周囲が第１の領域によって囲まれ、第２の領域は、赤外線吸収色素を含むブラックインキにより構成された第２ａの領域と、赤外線吸収色素を含まないインキにより黒色系に構成された第２ｂの領域から成り、第１の領域及び第２ｂの領域は、一般の商業印刷で使用されているシアン（Ｃ）、マゼンタ（Ｍ）、イエロー（Ｙ）の３原色インキを用いている。
【０００６】
この特許文献２に記載の印刷物は、特殊な網点構成による複製防止効果を奏するだけではなく、赤外線吸収色素を含むブラックインキにより構成された第２ａの領域において、潜像画像を形成していることから、赤外線カメラ等の鑑定装置で観察すると、可視光源下で観察された階調画像とは異なる画像が視認可能となる偽造防止効果も奏するものである。
【０００７】
この特許文献２に記載の印刷物は、前述のとおり、赤外線光下において画像を視認可能とするために、潜像画像を構成する第２ａの領域に、赤外線吸収色素を含むブラックインキを用い、その第２ａの領域と等色となるように、第２ｂの領域も黒色系に構成しているため、印刷物自体としては、比較的低明度（高濃度）なデザインとなってしまう。
【０００８】
そこで、さらに、本出願人は、潜像画像を形成するための領域に、赤外線吸収色素を含むブラックインキではなく、金属材料を用いた偽造防止用印刷物を開示している（例えば、特許文献３参照）。
【０００９】
この特許文献３に記載の印刷物は、特許文献２記載の印刷物と同様に、可視光源下において視認可能な階調画像と、赤外線光下において視認可能な潜像画像を備えているとともに、潜像画像を構成するための領域に、金属材料を用いることで、特許文献２における比較的低明度（高濃度）なデザインを解消している。
【００１０】
なお、金属材料を用いることで、材料及び色によっては、金属光沢を発することも有り得るため、その金属光沢を抑える目的として、潜像画像を構成している領域において、金属材料の上に無色透明のマット層又は白インキを重ねて印刷することを開示している。
【００１１】
【特許文献１】特開２００７−１５２８０５号公報
【特許文献２】特許第３５４４５３６号公報
【特許文献３】特開２００８−１３２６００号公報
【発明の開示】
【発明が解決しようとする課題】
【００１２】
しかしながら、特許文献１により開示されている印刷物は、金属光沢インキを用いることで、観察角度を異ならせることにより、潜像画像を視認可能としたものであるが、その構成は単純なベタ刷りによるものであり、一様な（階調の少ない）デザインに限られてしまうとともに、偽造防止効果としては、あまり高度なものではなかった。
【００１３】
また、特許文献２及び特許文献３による印刷物は、緻密な網点構成を用いていることから、写真製版装置による複製が困難であるとともに、可視光源下による画像と赤外線光源下による画像とが明瞭にスイッチして確認できるという偽造防止効果の高い印刷物ではあるが、赤外線カメラ等の鑑定装置を必要とするため、例えば、銀行、入国管理審査等の各種窓口業務において、目視等の簡易検査による真偽判別を行うことができないという問題点があった。そこで、特殊な鑑定装置を用いずに、目視によって簡易的に真偽判別することが可能な技術が付与された偽造防止印刷物が求められている。
【００１４】
また、特許文献１、２及び３に記載の各印刷物は、基材は一般的な紙であり、光輝性基材のような特殊な基材には不向きであった。
【００１５】
本発明は、このような従来の問題を解決することを目的としたもので、緻密な網点構成を用いることで、複製を困難にさせるとともに、特殊な基材である光輝性基材においても付与可能であり、観察角度を異ならせるだけで簡単に潜像画像を確認することが可能な印刷物を提案することを目的とする。
【課題を解決するための手段】
【００１６】
本発明は、基材の少なくとも一部に印刷領域が形成され、印刷領域は、定位置の照明光源に対して観察角度を拡散光領域から正反射光領域へ変化させることで、色が変化する材料から成る第１の層と、第１の層の上に、定位置の照明光源に対して観察角度を拡散光領域から正反射光領域へ変化させても、色を変化させないように隠蔽するための隠蔽材料から成る第２の層と、第２の層の上に、有色インキにより形成された第３の層から成り、第２の層は、第１の層を隠蔽する第１の隠蔽領域と、隠蔽面積率が第１の隠蔽領域と同じ又は低い第２の隠蔽領域から成り、第２の隠蔽領域内には、一部がくり抜かれた第１のくり抜き領域を有し、第３の層は、連続階調画像を表現するための網点を構成する一つの第１の領域と、第１の領域に隣接し、かつ、第１の領域よりも小さい一つの第２の領域とが複数組配置され、各々の第２の領域の周囲が、複数の第１の領域により囲まれ、第３の層により可視画像が形成され、第２の領域は、一部がくり抜かれた第２のくり抜き領域と、第２のくり抜き領域を囲むカムフラージュ領域から成り、第１のくり抜き領域と、第２のくり抜き領域は同じ箇所に配置されることで潜像領域が形成され、潜像領域を複数配置することで潜像画像が形成され、カムフラージュ領域と潜像領域が拡散光領域において等色となるように形成されることにより、可視光源下の拡散光領域では可視画像が視認され、観察角度を異ならせることで潜像領域及びカムフラージュ領域の色差ΔＥが所定の値変化し、潜像領域における第１の層の光沢により形成された潜像画像が視認可能なことを特徴とする潜像画像を有する印刷物である。
【００１７】
また、本発明の潜像画像を有する印刷物は、第１のくり抜き領域と第２のくり抜き領域が、大きさ及び形状が等しいことを特徴とする。
【００１８】
また、本発明は、基材の少なくとも一部に印刷領域が形成され、印刷領域は、定位置の照明光源に対して観察角度を拡散光領域から正反射光領域へ変化させることで、色が変化する材料から成る第１の層と、第１の層の上に、定位置の照明光源に対して観察角度を拡散光領域から正反射光領域へ変化させても、色を変化させないように隠蔽するための隠蔽材料から成る第２の層と、第２の層の上に、有色インキにより形成された第３の層から成り、第２の層は、第１の層を隠蔽する第１の隠蔽領域と、隠蔽面積率が第１の隠蔽領域と同じ又は低い第２の隠蔽領域と、第２の隠蔽領域内に、第２の隠蔽領域よりも隠蔽面積率が低い第１の潜像領域から成り、第３の層は、連続階調画像を表現するための網点を構成する一つの第１の領域と、第１の領域に隣接し、かつ、第１の領域よりも小さい一つの第２の領域とが複数組配置され、各々の第２の領域の周囲が、複数の前記第１の領域により囲まれ、第３の層により可視画像が形成され、第２の領域は、透過率２０％以上のインキ層で形成され、第２の隠蔽領域と第２の領域は同じ位置に積層されることで、第１の潜像領域と第１の潜像領域と同じ位置に積層された第２の領域により潜像領域が形成され、第１の潜像領域を除く第２の隠蔽領域と同じ位置に積層された第２の領域によりカムフラージュ領域が形成されて、潜像領域が複数配置されることで潜像画像が形成され、カムフラージュ領域と潜像領域が拡散光領域において等色となるように形成することにより、可視光源下の拡散光領域では可視画像が視認され、観察角度を異ならせることで、潜像領域及びカムフラージュ領域の色差ΔＥが所定の値変化し、潜像領域における第１の層の光沢により形成された潜像画像が視認可能なことを特徴とする潜像画像を有する印刷物である。
【００１９】
また、本発明の潜像画像を有する印刷物は、第２の領域が、透過率２０％以上のインキ層で形成された第２の潜像領域と、第１の潜像領域と同じ位置に積層された第２の潜像領域と拡散光領域において等色となるように第２の隠蔽領域と同じ位置に積層されたインキ層で形成されたカムフラージュ領域から成り、第１の潜像領域と第２の潜像領域が同じ箇所に配置されていることを特徴とする。
【００２０】
また、本発明の潜像画像を有する印刷物は、第２の潜像領域とカムフラージュ領域が、異なる色のインキにより形成されていることを特徴とする。
【００２１】
また、本発明の潜像画像を有する印刷物は、第２の領域が、第１の領域の透過率と同じ又は高い透過率のインキ層で形成されていることを特徴とする。
【００２２】
また、本発明の潜像画像を有する印刷物は、第１の層が、基材自体が定位置の照明光源に対して観察角度を拡散光領域から正反射光領域へ変化させることで色が変化する材料により形成されていることを特徴とする。
【００２３】
また、本発明の潜像画像を有する印刷物における第１の層は、基材が紙又はプラスチックフィルムから成り、基材の上に定位置の照明光源に対して観察角度を拡散光領域から正反射光領域へ変化させることで色が変化する材料が付与されていることを特徴とする。
【００２４】
また、本発明の潜像画像を有する印刷物は、色が変化する材料が、定位置の照明光源に対して、観察角度を拡散光領域から正反射光領域へ変化させることにより、拡散光領域における潜像領域とカムフラージュ領域との色差ΔＥに対して、正反射領域における潜像領域とカムフラージュ領域との色差ΔＥが５以上変化する材料であることを特徴とする。
【００２５】
また、本発明の潜像画像を有する印刷物は、色が変化する材料が、光輝性材料であり、光輝性材料が金属粉インキ、フォイル、金属又は金属光沢調フィルムのいずれかの材料であることを特徴とする。
【００２６】
また、本発明の潜像画像を有する印刷物は、有色インキが、シアン、マゼンタ、イエロー及びブラックのインキであることを特徴とする。
【発明の効果】
【００２７】
本発明の潜像画像を有する印刷物は、可視光源下の拡散光領域で観察した際には可視画像が視認でき、印刷物を傾けて観察することで潜像画像が視認可能となり、簡易な手法による真偽判別が行える。
【００２８】
また、本発明の潜像画像を有する印刷物は、特殊な網点構成により、二つの画像を同一領域内に重なるようなデザインで作製することが容易であり、デザイン上の制約を受けることが無い。
【００２９】
また、印刷を付与するための基材についても、従来の一般的な紙基材ではなく、光輝性の基材を用いることが可能となり、基材に対する幅が広がる。
【００３０】
さらに、従来の金属光沢材料を用いて、観察角度を異ならせることによる潜像画像の出現を奏する印刷物が、単純なベタ刷りによる構成であることに対し、本発明の潜像画像を有する印刷物は、特殊な網点構成を用いているため、複製防止効果が高い。
【図面の簡単な説明】
【００３１】
【図１】本発明における潜像画像を有する印刷物の一例を示す図である。
【図２】本発明における可視画像と潜像画像の一例を示す図である。
【図３】印刷領域の層構成を説明するための図である。
【図４】第１の実施形態における第２の層を説明するための図である。
【図５】第１の実施形態における第３の層を説明するための図である。
【図６】第１の実施形態における三つの層の層構成を説明するための図である。
【図７】本発明の印刷物を観察するときの観察状態を説明するための図である。
【図８】本発明にかかわる可視光源下の拡散光領域と正反射光領域における潜像領域及びカムフラージュ領域の色差ΔＥを説明するための図である。
【図９】可視画像が視認できるときの原理を説明するための図である。
【図１０】潜像画像が視認できるときの原理を説明するための図である。
【図１１】第２の実施形態における第２の層を説明するための図である。
【図１２】第２の実施形態における第３の層の一つ目の態様を説明するための図である。
【図１３】第２の実施形態において、第３の層が一つ目の態様のときの三つの層の層構成を説明するための図である。
【図１４】第２の実施形態における第３の層の二つ目の態様を説明するための図である。
【図１５】第２の実施形態において、第３の層が二つ目の態様のときの三つの層の層構成を説明するための図である。
【図１６】第１の領域及び第２の領域の形状の変形例を説明するための図である。
【図１７】実施例２の証明書を説明する図である。
【図１８】実施例２における可視画像と潜像画像を示す図である。
【図１９】実施例２における三つの層の層構成を説明するための図である。
【発明を実施するための形態】
【００３２】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００３３】
図１は、本発明における潜像画像を有する印刷物（１）（以下「印刷物」という。）の一例を示す図である。この印刷物（１）は、図１（ａ）に示すように、少なくとも一部に本発明における潜像画像が形成されている印刷領域（２）を有している。
【００３４】
この印刷物（１）は、可視光源下における拡散光領域では、図２（ａ）に示すような可視画像（３）が視認でき、印刷物（１）を傾けることにより、正反射光領域では図２（ｂ）に示すような潜像画像（４）が視認できる効果を奏するものである。この二つの画像の視認原理については後述する。
【００３５】
この印刷領域（２）は、印刷物（１）の断面図である図１（ｂ）に示すように、三つの層から構成されている。印刷領域（２）については、図１に示すように、印刷物（１）の一部に形成しても良いが、印刷物（１）の全面を印刷領域（２）として形成しても良い。また、印刷領域（２）を構成している三つの層については、第１の層（５）、第２の層（６）及び第３の層（７）から形成されている。この三つの層について次に説明する。
【００３６】
（第１の実施形態）
まず第１の層（５）について説明する。第１の層（５）は、定位置の照明光源に対して観察角度を拡散光領域から正反射光領域へ変化させると、色が変化し、他の領域との色差ΔＥが所定の値変化する材料を用いて形成されている。なお、本発明における色差は、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差及びｂ＊の差をそれぞれ二乗して加え、その平方根をとることで求めることができる。
【００３７】
色差ΔＥが変化するとは、例えば、定位置の照明光源に対して観察角度を変化させることで、明度及び／又は色が変化する材料を用いて印刷インキを作製し、紙等の基材（８）上に印刷領域として付与して印刷物Ａを作製する。同様に定位置の照明光源に対して観察角度を変化させることで明度及び／又は色が変化しない材料を用いて印刷インキを作製し、前述の紙等の基材上に印刷部として付与して印刷物Ｂを作製する。印刷物Ａと印刷物Ｂの色差ΔＥがＸとする。次に、印刷物Ａ及び印刷物Ｂを定位置に設置した照明光源下において、観察角度を変化させたのち、再度、印刷物Ａと印刷物Ｂの色差ΔＥを測定する。その測定した際の色差ΔＥが前述したＸとは異なる値であるならば、色差ΔＥが変化したことになる。前述のとおり、定位置の照明光源に対して観察角度を変化させることで明度及び／又は色が変化する材料であるならば、その材料は観察角度によって色差ΔＥが変化する材料となる。
【００３８】
本発明における拡散光領域とは、定位置の照明光源からの入射光角度が４５°の場合において、受光角度が−１０〜１０°となる領域であり、正反射光領域とは、定位置の照明光源からの入射光角度が４５°の場合において受光角度が３５〜５５°となる領域のことを指す。なお、色差ΔＥが所定の値変化する原理については、後述する。
【００３９】
観察角度によって、色が変化する材料には、例えば、光輝性材料がある。光輝性材料とは、金属粉インキ、フォイル（金属箔）、金属蒸着により基材（８）上に形成したもの、金属又は金属光沢調フィルム等がある。金属粉インキとは、一回の印刷で金属色を示すインキである。金属粉インキは、ビヒクルに微細な金属粉を混和して作製する。金属粉インキには、金インキ及び銀インキがある。金インキとは、ビヒクルに微細な黄銅粉末を混和して作製したインキであり、銀インキとは、ビヒクルに微細なアルミニウム粉末を混和して作製したインキである。
【００４０】
また、金属粉インキの代わりにフォイル（金属箔）を紙基材の上に形成してもよい。フォイルとしては、金箔や銀箔などがある。フォイルは、ホットスタンプ方式又はコールドフォイル方式により基材上へ付与する。ホットスタンプ方式は、シート状のフォイルを基材に重ね、高温の金属刻印で加圧して基材に箔押しする方式である。また、コールドフォイル方式は、基材に接着剤を塗布し、シート状のフォイルを基材に重ね、加圧して箔を転写する方式である。
【００４１】
フォイル（金属箔）の代わりに金属蒸着によりアルミ等を基材（８）上に形成したもの（株式会社竹尾製、オフメタルＮ  銀  １６５kg等）でもよい。また、基材（８）自体をステンレスやアルミ等の金属としてもよい。また、光輝性材料が形成された基材上に有色インキや有色フィルムなどの透過性材料を形成したものでもよい。この場合、透過性材料は光輝性材料の光沢を視認できる材料とする必要がある。さらに、基材（８）に金属光沢調フィルム（東レ株式会社製、ＰＩＣＡＳＵＳ等）を用いても良い。金属光沢調フィルムとは、異種ポリマーを多層積層し形成したポリエステルフィルムであり、金属を使用せずに金属調の光沢を得ることが可能な材料のことである。
【００４２】
第１の層（５）について、紙基材（８）の上に定位置の照明光源に対して観察角度を拡散光領域から正反射光領域へ変化させることで色が変化する材料を印刷インキ又はフォイルにより形成する例で説明したが、本発明の第１の層（５）はこれに限定されるものではなく、基材自体が色が変化する材料により形成されていても良い。
【００４３】
例えば、図３（ａ）に示すように、印刷物（１）の一部に印刷領域（２）を形成する場合、基材（８）の一部が第１の層（５）により形成されていても良いし、図３（ｂ）に示すように、基材（８）全体が第１の層（５）により形成されていても良い。なお、印刷物（１）の全面を印刷領域（２）とする場合には、図３（ｂ）に示すように、第１の層（５）、第２の層（６）及び第３の層（７）は、いずれも印刷物（１）の全面に形成されることとなる。
【００４４】
次に第２の層（６）について説明する。第２の層（６）は、下層にあたる第１の層（５）の光沢を抑えるための隠蔽層の役割を担っている。また、第２の層（６）は、後述する上層の第３の層（７）により形成される可視画像に影響を与えない色彩を有する必要がある。したがって、第２の層（６）は、白インキ、マットインキ（マットタイプのＯＰニス）等を用いることが可能だが、下層の光沢を抑えられる隠蔽材料、かつ、上層の可視画像（３）に影響を与えない材料であれば特に限定されない。本実施の形態では白インキを用いて形成することで説明する。なお、白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。
【００４５】
この第２の層（６）は、図４に示すように、一部がくり抜かれた第１のくり抜き領域（９）を有している。図４（ａ）に示した第２の層（６）の構成については、後述する第３の層（７）の網点構成に対応した構成となっている。この網点構成は、本発明に用いる微細な網点構成となるものであるが、詳細は第３の層（７）の説明の際に行うこととする。
【００４６】
図４（ａ）は、第２の層（６）の一部を拡大した模式図であるが、第２の層（６）は、後述する第３の層（７）に対応するように、二つの領域から形成されている。この二つの領域は、前述のとおり、下層である第１の層（５）の光沢を隠蔽する役割を持っていることから、第１の隠蔽領域（１０）と、その第１の隠蔽領域の隠蔽面積率と同じ又はそれよりも低い隠蔽面積率によって形成されている第２の隠蔽領域（１１）と定義する。
【００４７】
ここで、隠蔽面積率とは、第２の層（６）における第１の隠蔽領域（１０）又は第２の隠蔽領域（１１）の単位面積当りの隠蔽材料を形成する面積の割合のことである。例えば、第２の隠蔽領域（１１）において、隠蔽面積率８０％とは、第１のくり抜き領域（９）を除く第２の隠蔽領域（１１）に隠蔽材料を形成する面積の割合が８０％のことである。この場合、第１のくり抜き領域（９）を除く第２の隠蔽領域（１１）の面積の２０％は、隠蔽材料が形成されていないため、下層である第１の層（５）が露出した状態となる。
【００４８】
よって、第２の隠蔽領域（１１）を第１の隠蔽領域（１０）よりも隠蔽面積率を低くするというのは、隠蔽面積率を下げることにより下層である第１の層（５）の露出面積率を上げ、第１の隠蔽領域（１０）よりも第２の隠蔽領域（１１）の光輝性の低下を抑えることになる。つまり、印刷物（１）を定位置の照明光源に対して、拡散光領域から正反射光領域へ変化させた際に、第１の隠蔽領域（１０）に対応する第３の層（７）の第１の領域（１２）の正反射光よりも第２の隠蔽領域（１１）に対応する第３の層（７）の第２の領域（１３）の正反射光のほうが高くなり、結果的に正反射光領域における潜像画像（４）の視認性が向上することがあるからである。なお、第３の層（７）の構成については後述する。
【００４９】
しかし、隠蔽面積率を低くしたことにより、第１のくり抜き領域（９）、すなわち第１の層（５）の正反射光と第２の隠蔽領域の正反射光の高さ（強さ）が近似し、正反射光領域における潜像画像（４）の視認性が低下する恐れもある。よって、第２の隠蔽領域（１１）の隠蔽面積率は適宜設定する必要がある。
【００５０】
また、第２の隠蔽領域（１１）内に、第１のくり抜き領域（９）が形成されており、この図４（ａ）のＸ１−Ｘ２における（拡大）断面図である図４（ｂ）に示すように、第１のくり抜き領域（９）には、白インキが施されていない。したがって、印刷物（１）を上方から観察すると、この第１のくり抜き領域（９）からは、下層の第１の層（５）が確認できることとなる。
【００５１】
次に、第３の層（７）について説明する。第３の層（７）は、可視光源下の拡散光領域において視認可能な連続階調画像を含む可視画像（３）を網点により形成する。そこで、第３の層（７）の網点構成について図５を用いて説明する。なお、連続階調画像を含む可視画像（３）は、連続階調を有していない二値画像であってもよい。
【００５２】
第３の層（７）は、図５（ａ）に示す可視画像（３）を形成しており、その網点構成は、図５（ｂ）に一部拡大図として示した構成である。この網点構成は、第１の領域（１２）及び第２の領域（１３）により形成され、この第１の領域（１２）と第２の領域（１３）がマトリックス状に複数配置されている。この二つの領域をマトリックス状に配置することで、可視画像（３）及び潜像画像（４）は、モアレを発生することがなくなる。
【００５３】
図５（ｂ）に示すように、第１の領域（１２）に囲まれるように第２の領域（１３）が配置され、第２の領域（１３）は、第１の領域（１２）よりも小さい面積で第１の領域（１２）の外周に沿って、等間隔に配置されている。第２の領域（１３）を第１の領域（１２）よりも大きい面積で形成した場合には、第２の領域（１３）がノイズとなって、可視光源下における可視画像（３）の視認性を低下させてしまうこととなる。この網点構成の詳細については、本出願人が既に出願している特許第３５４４５３６号公報に開示されている。
【００５４】
第１の領域（１２）内には、第１の網点部（１２ａ）が配置され、可視画像（３）は、第１の領域（１２）内における第１の網点部（１２ａ）と第１の網点部（１２ａ）以外の領域との面積比率に応じて、複数配置された第１の領域（１２）により階調を付与することが可能となる。
【００５５】
第２の領域（１３）は、可視光源下において印刷物（１）を傾けることにより視認可能な潜像画像（４）を形成するための領域であり、第２のくり抜き領域（１３ａ）とカムフラージュ領域（１３ｂ）により構成されている。潜像画像（４）は、この第２のくり抜き領域（１３ａ）とカムフラージュ領域（１３ｂ）との面積比率に応じて、複数配置された第２の領域（１３）により階調を付与することが可能となる。
【００５６】
ここで、第２の領域（１３）によって潜像画像（４）が形成できる原理について説明する。第２の領域（１３）内に形成される第２のくり抜き領域（１３ａ）は、第２の層（６）に形成された第１のくり抜き領域（９）と同じ箇所に形成されることとなるが、この各層における各領域の位置関係について図６を用いて説明する。
【００５７】
図６（ａ）は、図５で示した複数配置された第１の領域（１２）及び第２の領域（１３）の中の一組を取り出した際における第１の層（５）、第２の層（６）及び第３の層（７）の積層状態を示す斜視図であり、図６（ｂ）は、図６（ａ）のＹ１−Ｙ２の断面図である。
【００５８】
図６（ａ）及び図６（ｂ）に示すように、第２の層（６）の第１のくり抜き領域（９）と第３の層（７）の第２のくり抜き領域（１３ａ）は、同じ大きさ、同じ形状かつ同じ位置に配置される。したがって、図６（ｂ）に示すように、第１のくり抜き領域（９）と第２のくり抜き領域（１３ａ）が同じ位置に配置されるため、各くり抜き領域が重なった箇所を印刷物（１）の上方から見ると、一番下層にある第１の層（５）が確認できることとなる。この第２の層（６）と第３の層（７）の各くり抜き領域が同じ位置に配置されて第１の層が確認できる領域を潜像領域（１４）と定義する。
【００５９】
なお、第２の層（６）における第１の隠蔽領域（１０）と第２の隠蔽領域（１１）の隠蔽面積率を同じとした場合には特に問題はないが、例えば、第１の隠蔽領域（１０）よりも第２の隠蔽領域（１１）の方を隠蔽面積率を低くした場合には、第２の層（６）と第３の層（７）の積層状態における位置関係については、第２の層（６）の第１の隠蔽領域（１０）と第３の層（７）の第１の領域（１２）を同じ位置に配置し、併せて、第２の層（６）の第２の隠蔽領域（１１）と第３の層の第２の領域（１３ｂ）は同じ位置に配置することとなる。
【００６０】
前述のとおり、第１のくり抜き領域（９）と第２のくり抜き領域（１３ａ）が同じ位置に配置されるため、潜像領域（１４）から第１の層（５）が確認できることとなるが、第１の層（５）は、定位置の照明光源に対して観察角度を拡散光領域から正反射光領域へ変化させると、色が変化し、他の領域との色差ΔＥが所定の値変化する材料によって形成されているため、本発明における潜像画像（４）を出現させるには、正反射光領域においてのみ第１の層（５）の光沢感を視認させることが必要となる。したがって、拡散光領域においては、第２の領域（１３）内の他の領域であるカムフラージュ領域（１３ｂ）と潜像領域（１４）は等色とする必要がある。
【００６１】
拡散光領域において、カムフラージュ領域（１３ｂ）と潜像領域（１４）（具体的には潜像領域(１４)における第１の層（５））が拡散光領域において等色となることで、潜像画像（４）は確認できず、印刷物（１）を傾けて正反射光領域とすることで、潜像領域（１４）における第１の層（５）は、カムフラージュ領域（１３ｂ）との色差ΔＥが所定の値変化し、光輝性を発揮することにより、潜像領域（１４）により形成された潜像画像（４）を確認することができることとなる。
【００６２】
本発明における等色とは、可視光源下の拡散光領域で観察した際に、色差ΔＥが６未満のことを示す。一般的に、色差ΔＥが６前後においては、異なった色として視認される可能性がある。ただし、前述のとおり、本発明においては、第１の領域（１２）及び第２の領域（１３）は、肉眼ではそれぞれの領域を区別して視認することができない微細な網点により構成している。そのことから、前述のとおり、色差ΔＥが６未満であれば、可視光源下の拡散光領域において肉眼で潜像領域（１４）を視認することができず、かつ、潜像領域（１４）とカムフラージュ領域（１３ｂ）は、等色として視認される。
【００６３】
なお、メタメリズムの関係により、可視光源下の拡散光領域において観察した際に、肉眼で等しい色に視認された色が、特定の光源下の拡散光領域において観察した際に、異なる色で視認された場合においても、本発明においては、潜像領域（１４）及びカムフラージュ領域（１３ｂ）は等色に形成されていることとする。
【００６４】
また、第１のくり抜き領域（９）と第２のくり抜き領域（１３ａ）の関係については、位置関係は前述のとおり同じ位置に配置されることが必要であり、かつ、同一の形状及び同一の大きさである。形状及び大きさが異なると、潜像領域（１４）により形成される潜像画像（４）の視認性に影響を及ぼすことになる。
【００６５】
図５（ｂ）に示した第３の層（７）を構成する網点構成における各領域の面積（縦×横）は、例えば、第１の領域（１２）をｍ×ｍで形成し、第２の領域（１３）をｎ×ｎで形成すると、ｍ＞ｎ＞０の範囲内で適宜設定することが可能である。
【００６６】
第３の層（７）を構成する第１の領域（１２）及びカムフラージュ領域（１３ｂ）を印刷するインキは、一般の商業印刷に用いるシアン（Ｃ）、マゼンタ（Ｍ）及びイエロー（Ｙ）のプロセス基本インキ、さらには、プロセス基本インキを除く特殊な色を有する特色インキがある。インキの種別としては、オフセットインキ、グラビアインキ、スクリーンインキ、インクジェットプリンタ用インク等がある。
【００６７】
（各画像の観察原理）
各層の構成及び積層状態における位置関係等について説明したところであるが、ここで、前述した各層の構成及び位置関係における本発明の可視画像（３）及び潜像画像（４）の視認原理について説明する。
【００６８】
まず、可視画像（３）及び潜像画像（４）を視認するために必要となる観察位置について説明する。前述のとおり、潜像領域（１４）とカムフラージュ領域（１３ｂ）は、可視光源下の拡散光領域においては等色で視認されることで、肉眼では潜像領域（１４）（実際には、潜像領域（１４）から確認できる第１の層（５））を視認できず、反対に、可視光源下の正反射光領域においては、肉眼で潜像領域（１４）を視認可能となるように構成する。一般的に物体の色は、光源、観察環境（温度）、物体の分光反射率等により決定される。これらの観察条件により視認する色の感じ方はそれぞれ異なるが、本発明においての観察条件は、一定の条件であるものとする（例えば、観察条件：光源がＤ６５で観察環境が２０℃）。
【００６９】
図７は、本発明に関わる印刷物（１）を、定位置の可視光源（Ｒ）に対して、観察角度を拡散光領域及び正反射光領域で観察した際の可視光源（Ｒ）、視点（Ｅ１、Ｅ２）及び印刷物（１）の三つの位置関係を示した図である。可視光源（Ｒ）と視点（Ｅ１）と印刷物（１）が図７（ａ）に示す位置関係にあるとき、拡散光領域で観察したこととなる。また、可視光源（Ｒ）と視点（Ｅ２）と印刷物（１）が図７（ｂ）に示す位置関係にあるときは、正反射光領域で観察したこととなる。
【００７０】
次に、観察角度の変化により、潜像領域（１４）とカムフラージュ領域（１３ｂ）との色差ΔＥが所定の値変化する原理について説明する。前述のとおり、本発明における拡散光領域とは、定位置の照明光源からの入射光角度が４５°の場合において、受光角度が−１０〜１０°となる領域であり、正反射光領域とは、定位置の照明光源からの入射光角度が４５°の場合において、受光角度が３５〜５５°となる領域のことである。印刷物（１）において、潜像領域（１４）及びカムフラージュ領域（１３ｂ）は、図７（ａ）に示す拡散光領域を意味する位置関係では等色であり、肉眼ではそれぞれの領域を区別することができず、可視画像（３）のみ視認できる。
【００７１】
反対に、図７（ｂ）に示す正反射光領域において、潜像領域（１４）から確認される第１の層（５）は、観察角度を変化させることで、色が変化する材料を用いて形成しているので、観察角度を照明光源に対して拡散光領域から正反射光領域へ変化させることで、明度及び／又は色が変化し、潜像領域（１４）とカムフラージュ領域（１３ｂ）との色差ΔＥが所定の値変化する。よって、潜像領域（１４）は視認可能となり、複数配置された潜像領域（１４）によって形成された潜像画像（４）が視認可能となる。
【００７２】
図８（ａ）は、拡散光領域における潜像領域（１４）及びカムフラージュ領域（１３ｂ）の色差ΔＥを示すグラフであり、図８（ｂ）は、正反射光領域における潜像領域（１４）及びカムフラージュ領域（１３ｂ）の色差ΔＥを示すグラフである。なお、この図８における網点構成は、図５（ｂ）に示した構成と同じとする。
【００７３】
測定サンプルは、まず、測定サンプルＡ（４×４ｃｍ）は、第１の領域（１２）を３０×３０ピクセル、第２の領域（１３）を６×６ピクセルとして、第１の層（５）である基材（株式会社竹尾製、オフメタルＮ  銀  １６５kg）上に、第２の層（６）として第２の隠蔽領域（１１）における第１のくり抜き領域（９）の面積率を１００％（第２の隠蔽領域（１１）が全て第１のくり抜き領域（９）になっている状態）とし、白インク（東洋インキ製造株式会社製、ＬＩＯＪＥＴ  ＦＶ０３  ホワイト）を用いて、インクジェット印刷により第１の隠蔽領域（１０）のみを隠蔽面積率１００％（ベタ印刷）とし、第３の層（７）として第１の領域（１２）を印刷せずに第２の領域（１３）のカムフラージュ領域（１３ｂ）の面積率を０％（第２のくり抜き領域（１３ａ）の面積率を１００％）としてインクジェット印刷により作製した。
【００７４】
また、測定サンプルＢ（４×４ｃｍ）は、第１の層（５）である基材（株式会社竹尾製、オフメタルＮ  銀  １６５kg）上に、第２の層（６）として第２の隠蔽領域（１１）における第１のくり抜き領域（９）の面積率を０％（第２の隠蔽領域（１１）に第１のくり抜き領域（９）がない状態）とし、白インク（東洋インキ製造株式会社製、ＬＩＯＪＥＴ  ＦＶ０３  ホワイト）を用いて、インクジェット印刷により第１の隠蔽領域（１０）及び第２の隠蔽領域（１１）を隠蔽面積率１００％（ベタ印刷）し、第３の層（７）として第１の領域（１２）を印刷せずに第２の領域（１３）のカムフラージュ領域（１３ｂ）の面積率を１００％（第２のくり抜き領域（１３ａ）の面積率を０％）とし、プロセスインク（東洋インキ製造株式会社製、ＬＩＯＪＥＴ  ＦＶ０３  シアン、マゼンタ、イエロー、ブラック）を用いて、インクジェット印刷により作製した。
【００７５】
図８（ａ）に示した拡散光領域における潜像領域（１４）及びカムフラージュ領域（１３ｂ）の色差ΔＥを示すグラフと、図８（ｂ）に示した正反射光領域における潜像領域（１４）及びカムフラージュ領域（１３ｂ）の色差ΔＥは、変角分光光度計ＧＳＰ−２型（（株）村上色彩技術研究所製。以下、「測定装置」という。）を用いて、前記測定サンプルＡ及び測定サンプルＢのＬ＊の値、ａ＊の値、及びｂ＊の値を測定し、得られた値から色差ΔＥを算出した。
【００７６】
ただし、図７（ａ）に示した拡散光領域を意味する位置関係を測定装置上で再現するために、各測定サンプルに対する可視光源の入射光を４５゜に固定し、受光角度を−１０゜から１０゜まで変化させて測定した。また、図７（ｂ）に示した正反射光領域を意味する位置関係を測定装置上で再現するために、各測定サンプルに対する可視光源の入射光を４５゜に固定し、受光角度を３５゜から５５゜まで変化させ測定した。なお、測定装置校正は、標準白色板４０２０Ａを用いて、入射光角度４５゜、受光角度０゜、すなわち、標準白板に対して完全拡散面で校正を実施した。
【００７７】
図８（ａ）に示したように、拡散光領域においては、潜像領域（１４）及びカムフラージュ領域（１３ｂ）の色差ΔＥは、いずれの受光角度においても０．１５〜０．３１と相対的に小さい値を示している。前述した通り、色差ΔＥが６未満であれば等色であることから、拡散光領域においては、常に潜像領域（１４）及びカムフラージュ領域（１３ｂ）は等色といえる。よって、潜像領域（１４）及びカムフラージュ領域（１３ｂ）は肉眼で識別することが困難であり、その結果、可視画像（３）内に形成された潜像画像（４）は視認することができない。
【００７８】
反対に、図８（ｂ）に示した正反射光領域においては、潜像領域（１４）及びカムフラージュ領域（１３ｂ）の色差ΔＥが、８．３５を示す受光角度が存在する。拡散光領域（例えば、受光角度０°）における、潜像領域（１４）及びカムフラージュ領域（１３ｂ）の色差ΔＥが０．２０に対して、正反射光領域（例えば、受光角度４５°）における、潜像領域（１４）及びカムフラージュ領域（１３ｂ）の色差ΔＥは８．３５である。つまり、観察角度を拡散光領域から正反射光領域へ変化させることで、色差ΔＥは、０．２０から８．３５へと、８．１５変化する。よって、色差ΔＥが５以上変化することで、潜像領域（１４）及びカムフラージュ領域（１３ｂ）は肉眼で識別することが可能となり、その結果、可視画像（３）内に形成された潜像画像（４）を視認することが可能となる。
【００７９】
なお、同じ観察条件下においては、印刷物（１）を傾けることにより、拡散光領域と正反射光領域は切り替えられる。つまり、印刷物（１）を傾けることで、潜像領域（１４）及びカムフラージュ領域（１３ｂ）は、肉眼で識別することが可能となる。その結果、可視画像（３）内に形成された潜像画像（４）を視認することが可能となる。
【００８０】
（本発明における可視画像の視認原理）
さらに詳細に可視画像が視認できる原理を説明する。図９は、本発明に関わる印刷物（１）に形成された印刷領域（２）を、定位置の可視光源（Ｒ）下の拡散光領域において、肉眼で視認した場合の平面図及び模式図である。印刷領域（２）は、可視光源（Ｒ）下の拡散光領域において、図９（ｂ）に示した一部拡大図のように、第１の網点部（１２ａ）が視認可能となり、逆に、潜像領域（１４）及びカムフラージュ領域（１３ｂ）は、等色として視認されるため、それぞれの領域を区別することはできない。したがって、潜像領域（１４）によって形成される潜像画像（４）を視認することはできず、図９（ａ）に示した可視画像（３）のみが視認できる。
【００８１】
図９（ｃ）は、可視画像（３）が視認できるときの印刷物（１）、光源（Ｒ）及び視点との関係を示す模式図である。印刷物（１）を可視光源（Ｒ）下の拡散光領域において、肉眼で視認した際には、まず、第１の領域（１２）においては、可視光源（Ｒ）からの入射光（Ｒ１）によって、正反射光（Ｒ２）と拡散光（Ｒ３）が生じ、拡散光領域では、拡散光（Ｒ３）が得られる。
【００８２】
第２の領域（１３）においては、可視光源（Ｒ）からの入射光（Ｒ１）によって、正反射光（Ｒ４）と拡散光（Ｒ５）が生じ、拡散光領域では拡散光（Ｒ５）が得られる。また、第２の領域（１３）は、潜像領域（１４）及びカムフラージュ領域（１３ｂ）で構成されていることから、双方に対して、それぞれ正反射光（図示せず）と拡散光（図示せず）が得られる。潜像領域（１４）及びカムフラージュ領域（１３ｂ）は、可視光源下の拡散光領域で観察したときに等色となるように形成されていることから、それぞれの領域における拡散光の差異は、肉眼では確認できない。
【００８３】
本発明における第３の層（７）を構成する網点構成においては、第１の領域（１２）は、第２の領域（１３）より面積を大きく構成する。可視光源下における拡散光領域においては、第１の領域（１２）及び第２の領域（１３）の拡散光の強さは、ほぼ一定である。したがって、第１の領域（１２）は、第２の領域（１３）よりも面積を大きく構成することで、可視光源下における拡散光領域においては、第１の領域（１２）における拡散光が、第２の領域（１３）よりも支配的に観察されるため、可視画像（３）のみが視認可能となり、潜像領域（１４）によって形成されている潜像画像（４）を視認することはできない。
【００８４】
（本発明における潜像画像の視認原理）
次に、潜像画像（４）が視認できる原理の詳細を説明する。図１０は、本発明に関わる印刷物（１）に形成された印刷領域（２）を、定位置の可視光源（Ｒ）下の正反射光領域において、肉眼で視認した場合の平面図及び模式図である。印刷領域（２）は、可視光源（Ｒ）下の正反射光領域において、図１０（ｂ）に示した一部拡大図のように、潜像領域（１４）（第２の領域（１３）における第２のくり抜き領域（１３ａ））は肉眼で視認可能となる。つまり、潜像画像（４）を視認することが可能となる。
【００８５】
これは、拡散光領域において等色となって区別がつかなかった潜像領域（１４）とカムフラージュ領域（１３ｂ）が、正反射光領域においては、潜像領域（１４）を実質上構成する第１の層（５）の色が変化して、第１の層（５）とカムフラージュ領域（１３ｂ）との色差ΔＥが所定の値変化し、第１の層（５）とカムフラージュ領域（１３ｂ）とを肉眼で区別することが可能となったからである。
【００８６】
図１０（ｃ）は、潜像画像（４）が視認できるときの印刷物（１）、光源（Ｒ）及び視点との関係を示す模式図である。印刷物（１）を可視光源（Ｒ）下の正反射光領域において肉眼で視認した際には、まず、第１の領域（１２）においては、可視光源（Ｒ）からの入射光（Ｒ１）によって、正反射光（Ｒ２）と拡散光（Ｒ３）が生じ、正反射光領域では正反射光（Ｒ２）が得られる。
【００８７】
また、潜像画像（４）を形成する潜像領域（１４）では、正反射光（Ｒ４）と拡散光（Ｒ５）が生じ、正反射光領域では強い正反射光（Ｒ４）が得られる。さらに、カムフラージュ領域（１３ｂ）では、正反射光（Ｒ６）と拡散光（Ｒ５）が生じ、正反射光領域では正反射光（Ｒ６）が得られる。
【００８８】
したがって、潜像領域（１４）の正反射光（Ｒ４）は、第１の領域（１２）及びカムフラージュ領域（１３ｂ）の正反射光（Ｒ２、Ｒ６）よりも強くなり、その光沢値の差異によってカムフラージュ領域（１３ｂ）に対して潜像領域（１４）に色差Δが生じ、潜像画像（４）として視認することが可能となる。よって、可視光源下の正反射光領域においては、印刷物（１）の印刷領域（２）を観察した場合に、潜像画像（４）を視認することができる。
【００８９】
（第２の実施形態）
次に、本発明の別の形態について説明するが、第１の層（５）については、第１の実施形態と同様であるため省略することとし、併せて、第２の層（６）及び第３の層（７）の一部についても第１の実施の形態と重複するところは省略することとする。
【００９０】
第２の実施形態では、第１の実施形態と異なるところとして、第２の層（６）及び第３の層（７）において、それぞれの層にくり抜き領域を形成せず、隠蔽面積率及び透過率の差異により潜像領域（１４）を形成するところである。
【００９１】
まず、第２の層（６）における層構成について、図１１を用いて説明する。第２の層（６）は、第１の実施形態と同様、第１の層（５）の光沢を隠蔽する役割を担っているため、やはり白インキを用いて形成する。ただし、第１の実施形態における第１のくり抜き領域（９）に該当する箇所にも白インキを印刷することとするが、周辺の隠蔽面積率よりも低い隠蔽面積率によって形成することとし、この領域を、第１の潜像領域（１４ａ）と定義する。
【００９２】
したがって、第２の層（６）を構成している第１の隠蔽領域（１０）、第２の隠蔽領域（１１）及び第１の潜像領域（１４ａ）の隠蔽面積率の関係は、第１の隠蔽領域（１０）≧第２の隠蔽領域（１１）＞第１の潜像領域（１４ａ）となる。ただし、第１の潜像領域（１４ａ）は、正反射光領域において下層の第１の層（５）の光沢を伴わせる必要があるため、隠蔽面積率については、０％以上１００％未満の範囲とする必要がある。
【００９３】
また、第１の隠蔽領域（１０）及び第２の隠蔽領域（１１）は、正反射光領域において下層の第１の層（５）の光沢を抑える必要があるため、隠蔽面積率については、０％よりも大きく、１００％以下の範囲とする必要がある。なお、前述のとおり、第１の潜像領域（１４ａ）は、白インキを印刷することで、第１の実施形態における第１のくり抜き領域（９）と区分けして定義しているが、第１の潜像領域（１４ａ）の隠蔽面積率を０％としてもよい。例えば、第１の実施形態と同様、第１の隠蔽領域（１０）の隠蔽面積率を１００％、第２の隠蔽領域（１１）の隠蔽面積率を１００％、第１の潜像領域（１４ａ）の隠蔽面積率を０％としてもよい。
【００９４】
第１の潜像領域（１４ａ）を、第１の隠蔽領域（１０）及び第２の隠蔽領域（１１）よりも隠蔽面積率を低くすることにより、前述のとおり、正反射光領域において第１の層（５）における光沢が視認できることとなるため、第１の潜像領域（１４ａ）を複数配置することで、潜像画像（４）を形成することとなる。なお、第１の隠蔽領域（１０）、第２の隠蔽領域（１１）及び第１の潜像領域（１４ａ）の隠蔽面積率を０％又は０％に近似した設定、すなわち、第２の層（６）をほぼ除いた設定とした場合でも、印刷物として第１の潜像領域（１４ａ）の光沢性が第１の領域（１２）及び第２の領域（１３）よりも高ければ、正反射光領域における潜像画像（４）は視認可能である。しかし、第１の隠蔽領域（１０）及び第２の隠蔽領域（１１）と第１の潜像領域（１４ａ）の隠蔽面積率が近似すると、正反射光領域における潜像画像（４）の視認性が低下する恐れもあるので、第１の隠蔽領域（１０）、第２の隠蔽領域（１１）及び第１の潜像領域（１４ａ）の隠蔽面積率を適宜設定する必要がある。
【００９５】
次に第２の実施形態における第３の層（７）について説明する。この第３の層（７）については、第１の実施形態同様、可視光源下における拡散光領域において視認可能な可視画像（３）を形成するものであり、可視画像を形成するための基本的な網点構成は、第１の実施形態と同じである。
【００９６】
第１の実施形態では、潜像画像（４）を形成するために、第２の領域（１３）内において、第２の層（６）内に形成した第１のくり抜き領域（９）と同じ位置に、第２のくり抜き領域（１３ａ）を形成するものであったが、第２の実施形態においては、第１の実施形態における第２のくり抜き領域（１３ａ）に該当する箇所にはくり抜きを行なわず、透過率の高いインキ層で形成し、最下層である第１の層（５）の光沢を伴わせることとする。
【００９７】
第３の層（７）における第２の領域（１３）については、二通りの形成方法があり、まず、一つ目について、図１２を用いて説明する。
【００９８】
図１２に示すように、第３の層（７）は、可視画像（３）を形成するための第１の領域（１２）と、潜像画像（４）を形成するための第２の領域（１３）を備えているところは第１の実施形態と同様である。ただし、前述のとおり、第２の領域（１３）内において、潜像画像（４）を形成するための第２のくり抜き領域（１３ａ）は備えていない。図１２（ａ）では、下層の第１の潜像領域（１４ａ）との位置関係を示すため、第２の領域（１３）内に円により図示しているが、図１２（ｂ）に断面図として示したように、実際には、第２の領域（１３）に、第１の潜像領域（１４ａ）に該当するような領域は存在しない。ただし、この円により図示している領域は、本第２の実施形態においては、潜像画像（４）を形成するための領域となるため、第１の実施形態と同様、潜像領域（１４）と定義する。また、第２の領域（１３）における、潜像領域（１４）以外の領域は、潜像画像（４）をカムフラージュするための領域となるため、第１の実施形態と同様、カムフラージュ領域（１５）と定義する。
【００９９】
第２の領域（１３）は、第１の実施形態における第２の領域（１３）のカムフラージュ領域により全体を構成しているものである。ただし、下層である第２の層（６）における第１の潜像領域（１４ａ）を介して、正反射光領域において最下層の第１の層（５）の光沢を視認できる程度の透過率とする必要がある。よって、第２の領域（１３）の透過率は２０％以上１００％以下の範囲とする必要がある。
【０１００】
また、この第２の領域（１３）は、拡散光領域において潜像画像（４）が視認できない状態とするために、第２の領域（１３）を形成することにより、拡散光領域において、第２の層（６）における第１の潜像領域（１４ａ）を介して視認可能な第１の層（５）と第２の層（６）における第２の隠蔽領域（１１）の色彩が等色となるようにする必要がある。いわゆる、拡散光領域において、第２の領域（１３）内では、潜像領域（１４）とカムフラージュ領域（１５）との色彩を等色となるように、第２の領域（１３）を形成する。
【０１０１】
第２の実施形態における一つ目の層構成を図示したものが図１３である。図１３（ａ）に示すように、第１の層（５）の上に形成する第２の層（６）の第１の隠蔽領域（１０）と、さらにその上に形成する第３の層（７）の第１の領域（１２）は同じ位置に配置され、同様に、第２の隠蔽領域（１１）と、第２の領域（１３）は同じ位置に配置される。なお、図１３（ｂ）に示すように、実際に潜像画像（４）を形成する領域となる第２の層（６）に形成される第１の潜像領域（１４ａ）と第２の隠蔽領域（１１）の上には、潜像領域（１４）とカムフラージュ領域（１５）が拡散光領域において等色となるように形成した透過率２０％以上１００％以下の範囲の第２の領域（１３）が配置されている。
【０１０２】
図１３に示した層構成とすることで、第１の実施形態同様、可視光源下における拡散光領域では、第３の層（７）の第１の領域（１２）によって形成された可視画像（３）が視認され、印刷物（１）を傾けて正反射光領域としたときに、透過率の高い第２の領域（１３）を介し、さらに、第２の隠蔽領域（１１）よりも隠蔽面積率の低い第１の潜像領域（１４ａ）を介して第１の層（５）が確認できることで、潜像領域（１４）が形成され、この潜像領域（１４）が複数配置されたことにより形成された潜像画像（４）を視認することが可能となる。
【０１０３】
次に、第２の実施形態の第３の層（７）の二つ目の態様について図１４を用いて説明する。第１の領域（１２）については、一つ目の態様と同様であるが、第２の領域（１３）においては、下層の第２の層（６）に形成する第１の潜像領域（１４ａ）と同じ位置に該当する箇所、すなわち第２の潜像領域（１４ｂ）と、他の第２の領域（１３）、いわゆる、カムフラージュ領域（１３ｂ）を形成する。したがって、第２の領域（１３）は、カムフラージュ領域（１３ｂ）と第２の潜像領域（１４ｂ）の２色により形成されていることとなる。なお、第２の潜像領域（１４ｂ）は、透過率２０％以上１００％以下の範囲で形成する。この範囲よりも低いと、最下層の第１の層（５）の光沢を確認することができなくなってしまう。
【０１０４】
前述のとおり、第２の層（６）に形成した第１の潜像領域（１４ａ）は、第１の層（５）の光沢を確認できる程度に隠蔽面積率が低く形成してあるため、第２の潜像領域（１４ｂ）の透過率を高く形成することで、下層である第１の潜像領域（１４ａ）を介して、最下層の第１の層（５）の光沢が正反射光領域において確認可能となる。ただし、拡散光領域においては、潜像画像（４）を視認不可能とするため、カムフラージュ領域（１３ｂ）と第２の潜像領域（１４ｂ）は、拡散光領域においては、等色となるように形成する。
【０１０５】
第２の実施形態における二つ目の層構成を図示したものが図１５である。図１５（ａ）及び（ｂ）に示すように、第１の層（５）の上に形成する第２の層（６）の第１の隠蔽領域（１０）と、その上に形成する第３の層（７）の第１の領域（１２）は同じ位置に配置され、同様に、第２の隠蔽領域（１１）と、カムフラージュ領域（１３ｂ）は同じ位置に配置される。また、第１の潜像領域（１４ａ）と、その上に形成する第２の潜像領域（１４ｂ）は同じ位置に配置される。
【０１０６】
図１５に示した層構成とすることで、第１の実施形態及び第２の実施形態の一つ目の態様と同様、可視光源下における拡散光領域では、第３の層（７）の第１の領域（１２）によって形成された可視画像（３）が視認され、印刷物（１）を傾けて正反射光領域としたときに、透過率の高い第２の潜像領域（１４ｂ）を介し、さらに、第２の隠蔽領域（１１）よりも隠蔽面積率の低い第１の潜像領域（１４ａ）を介して第１の層（５）が確認できることで、潜像領域（１４）が形成され、この潜像領域（１４）が複数配置されたことにより形成された潜像画像（４）を視認することが可能となる。
【０１０７】
なお、第２の実施形態では、第２の層（６）及び第３の層（７）のそれぞれの層にくり抜き領域を形成しないことを特徴としているが、第２の層（６）又は第３の層（７）のどちらか一方において、くり抜き領域を形成しても良い。
【０１０８】
本発明の第３の層（７）の第１の領域（１２）により形成する可視画像（３）及び潜像領域（１４）により形成する潜像画像（４）は、文字、数字、記号、絵柄、風景等を適宜設定することが可能であるが、潜像画像（４）については、文字、数字、記号、絵柄等の場合、ポジ画像で形成することが好ましく、人物や風景等の場合には、ネガ画像で形成することが好ましい。また、前述の説明では、第１のくり抜き領域（９）、第２のくり抜き領域（１３ａ）、潜像領域（１４）、第１の潜像領域（１４ａ）及び第２の潜像領域（１４ｂ）は、網点形状として円形ドットを用いていたが、円形に限定されるものではなく、三角、四角、多角形等の形状、ランダムな形状、又は本出願人が出願した特許第３４７８４７４号公報で開示している自由度のある網点形状を用いても良い。
【０１０９】
また、本発明の第３の層（７）により形成する第１の領域（１２）及び第２の領域（１３）の形状は、前述の説明では、いずれも四角形としていたが、四角形に限定されるものではなく、第１の領域（１２）及び第２の領域（１３）を多角形としても良い。例えば、図１６においては、別の多角形の一例として、第１の領域（１２）を六角形、第２の領域（１３）を三角形とした。
【０１１０】
本網点構成を形成する材料としては、公知のグラビアインキ、スクリーンインキ、プロセスインキ、インクジェットプリンタ用インク等を使用することができる。また、第１の層（５）を隠蔽するための第２の層（６）を形成する材料としては、白インキを使用することができる。さらに、第１の層（５）については、基材自体を光輝性材料により形成しても良いし、上質紙、コート紙、アート紙等の紙葉類、プラスチックフィルム等の上に、金属粉インキや金属箔を付与して形成しても良い。ただし、金属粉インキや金属箔を付与する場合には、基材の平滑度が１，０００秒以上２，０００秒未満であることが好ましい。なお、平滑度の測定は、日本工業規格のＪＩＳ  Ｐ  ８１１９に規定されている試験方法で行い、デジベック平滑度試験機（株式会社東洋精機製作所製、ＤＢ−２型）を用いて測定した。
【０１１１】
第１の層（５）、第２の層（６）及び第３の層（７）をそれぞれ形成する方法としては、オフセット印刷方式、グラビア印刷方式、スクリーン印刷方式、フレキソ印刷方式、インクジェットプリンタ、レーザプリンタ、金属蒸着、ホットスタンプ、コールドスタンプ等、特に限定されるものではない。
【０１１２】
以下、本発明における潜像画像を有する印刷物について、実施例を用いて詳細に説明するが、以下の実施例に限定されることはなく、特許請求の範囲に記載された技術的な範疇であれば、適宜、変更が可能なことは言うまでもない。
【実施例１】
【０１１３】
実施例１として、図１（ａ）に示すように、左下部に本発明における印刷領域（２）を形成した商品券（１）を作製した。この商品券（１）を可視光源下における拡散光領域で観察すると、印刷領域（２）は、図２（ａ）に示したゴシック体の「ＮＰＢ」が確認でき、商品券（１）を傾けて正反射光領域で確認すると、印刷領域（２）は、図２（ｂ）に示した明朝体の「ＮＰＢ」が確認できるものである。
【０１１４】
本実施例１における商品券（１）の基材（８）は、インクジェットプリンタ用写真用紙（ＥＰＳＯＮ製  写真用紙＜光沢＞）を用い、この基材（８）上の印刷領域（２）にあたる領域に、金インキ（日本ペイント株式会社製  金コロイドインキ）を用いて、インクジェットプリンタ（ＥＰＳＯＮ製、ＰＸ−Ｇ９３０）により、網点面積率１００％（ベタ）の第１の層（５）を形成した。
【０１１５】
次に、金インクにより形成した印刷領域（２）上に、白インク（東洋インキ製造株式会社製、ＬＩＯＪＥＴ  ＦＶ０３  ホワイト）を用いて、インクジェット印刷装置（株式会社トライテック製  Ｐａｔｔｅｒｎｉｎｇ ＪＥＴ）により印刷を行い、図４に示すような、第１の層の金インクの光沢性を抑えるための第１の隠蔽領域（１０）及び第２の隠蔽領域（１１）、さらには、第２の隠蔽領域内に、白インキを印刷しない領域（前述した実施の形態における「第１のくり抜き領域（９）」）を有するように、第２の層（６）を形成した。
【０１１６】
なお、第１の隠蔽領域（１０）と第１のくり抜き領域（９）を除いた第２の隠蔽領域（１１）は、共に隠蔽面積率１００％（ベタ）で印刷した。また、白インクを印刷していない一部の領域は、この白インクの上に印刷する第３の層（７）の第２のくり抜き領域（１３ａ）と対応した位置となっている。
【０１１７】
次に、白インクにより形成した第２の層（６）の上に、プロセスインク（東洋インキ製造株式会社製  ＬＩＯＪＥＴ  ＦＶ０３  シアン、マゼンタ、イエロー、ブラック）を用いて、図５（ｂ）に示すような網点構成により、図５（ａ）の模様となる第３の層（７）すなわち、第１の領域（１２）及び第２の領域（１３）を形成した。
【０１１８】
なお、図５（ｂ）に示した網点構成において、第１の領域（１２）の面積は、３０×３０ピクセルで形成し、第２の領域（１３）は、６×６ピクセルで形成した。
【０１１９】
また、第２の領域（１３）には、印刷を施さない第２のくり抜き領域（１３ａ）を形成し、前述のとおり、第２の層（６）の白インキを印刷していない第１のくり抜き領域（９）と同じ位置としてある。したがって、第３の層（７）の第２のくり抜き領域（１３ａ）と第２の層（６）の第１のくり抜き領域（９）が同じ位置となっていることから、その領域となった潜像領域（１４）には、第１の層（５）の金インクが確認できる状態となっている。
【０１２０】
この潜像領域（１４）によって形成する潜像画像（４）を、拡散光領域において視認させないために、第２の領域（１３）に形成するカムフラージュ領域（１３ｂ）は、拡散光領域において潜像領域（１４）と等色となるように形成した。拡散光領域（例えば、受光角度０°）における、カムフラージュ領域（１３ｂ）と潜像領域（１４）との色差ΔＥは１．１４であった。
【０１２１】
なお、第１の網点部（１２ａ）及び潜像領域（１４）を形成するための第１のくり抜き領域並びに第２のくり抜き領域の形状については、円形ドットで形成した。
【０１２２】
以上の構成により形成した商品券（１）の印刷領域（２）を、可視光源下の拡散光領域において肉眼で観察したところ、図２（ａ）に示した可視画像（３）が視認でき、図２（ｂ）に示した潜像画像（４）は確認することができなかった。
【０１２３】
また、その位置から正反射光領域まで商品券（１）を傾けて印刷領域（２）を観察したところ、図２（ｂ）に示した潜像画像（４）が視認でき、逆に、図２（ａ）に示した可視画像（３）を確認することはできなかった。
【実施例２】
【０１２４】
実施例２として、図１７に示すように、右下部に本発明における印刷領域（２’）を形成したカード型の証明書（１’）を作製した。この証明書（１’）を可視光源下における拡散光領域で観察すると、印刷領域（２’）は、図１８（ａ）に示した複数の星が確認でき、証明書（１’）を傾けて正反射光領域で確認すると、印刷領域（２’）は、図１８（ｂ）に示した「合格」の文字が確認できるものである。
【０１２５】
本実施例２における証明書（１’）の基材（８’）は、０．２ｍｍの厚さを有するアルミフォイルを用いた。したがって、本実施例２では、基材自体が第１の層（５’）となる光輝性材料を用いたこととなる。
【０１２６】
次に、基材（８’）上の印刷領域（２’）にあたる領域以外を、白インク（東洋インキ製造株式会社製  ＬＩＯＪＥＴ  ＦＶ０３  ホワイト）を用いてベタ刷りし、印刷領域（２’）は、同じ白インクを用いて、図１９に示すような、第１の層（５’）のアルミフォイルの光沢を抑えるための第１の隠蔽領域（１０’）及び第２の隠蔽領域（１１’）、さらには、第２の隠蔽領域（１１’）内に、基材（８’）の光沢性を視認可能な程度の隠蔽面積率となる第１の潜像領域（１４ａ’）を有するように、第２の層（６’）を形成した。
【０１２７】
なお、第１の隠蔽領域（１０’）は隠蔽面積率１００％、第１の潜像領域（１４ａ’）を除いた第２の隠蔽領域（１１’）は、隠蔽面積率１００％、第１の潜像領域（１４ａ’）は隠蔽面積率１０％で印刷した。また、第１の潜像領域（１４ａ’）は、この白インクの上に印刷する第３の層（７’）の第２の潜像領域（１４ｂ’）と対応した位置となっている。
【０１２８】
次に、白インクにより形成した第２の層（６’）の上の全面に、プロセスインク（東洋インキ製造株式会社製  ＬＩＯＪＥＴ  ＦＶ０３  シアン、マゼンタ、イエロー、ブラック）を用いて第３の層（７’）を形成した。この第３の層（７’）については、印刷領域（２’）以外は網点による通常の印刷を行い、印刷領域（２’）は、図１４（ａ）に示すような網点構成により図１８（ａ）の模様を形成した。
【０１２９】
なお、少なくとも第３の層（７’）の印刷領域（２’）の網点構成は、第１の領域（１２’）の面積が３０×３０ピクセルで形成し、第２の領域（１３’）は、６×６ピクセルで形成した。
【０１３０】
第２の領域（１３’）は、基材（８’）の光沢性を利用して潜像画像を形成するために、透過率の高いインキ層で形成した第２の潜像領域（１４ｂ’）と、拡散光領域において、第２の潜像領域（１４ｂ’）と等色となるようにカムフラージュ領域（１３ｂ’）をイエロー及びブラックのインキ層で形成した。なお、第２の潜像領域（１４ｂ’）は、透過率８２％で形成した。拡散光領域（例えば、受光角度０°）における、カムフラージュ領域（１３ｂ’）と第２の潜像領域（１４ｂ’）との色差ΔＥは０．６５であった。
【０１３１】
本実施例２の証明書（１’）における印刷領域（２’）の構成と、その印刷領域（２’）以外の領域の構成を模式的に示したのが図１９である。図１９（ａ）は、印刷領域（２’）以外の領域の構成を示しており、光輝性の基材であるアルミフォイルの上に白インクが印刷され、さらにその上に、プロセスインクにより可視画像を形成するための網点が印刷されている。
【０１３２】
図１９（ｂ）は、印刷領域（２’）の構成を示しており、光輝性の基材であるアルミフォイルの上に、第１の隠蔽領域（１０’）、第２の隠蔽領域（１１’）及び第１の潜像領域（１４ａ’）が白インクにより印刷され、第１の隠蔽領域（１０’）の上には第１の領域（１２’）を印刷し、第２の隠蔽領域（１１’）の上には第２の印刷領域（１３’）を印刷した。特にこの第２の隠蔽領域（１１’）と第２の印刷領域（１３’）については、第１の潜像領域（１４ａ’）と第２の潜像領域（１４ｂ’）が同じ位置となるように印刷してある。
【０１３３】
このような層構成及び網点構成の位置関係としたことで、第２の潜像領域（１４ｂ’）において、第１の潜像領域（１４ａ’）を介して基材（８’）の光沢性を確認することが可能となる。また、印刷領域（２’）以外の領域については、白インクにより基材の光沢性を抑えているため、光沢性のない状態で、白インクの上に印刷されているプロセスインクにより可視画像（３’）が形成されていることとなる。
【０１３４】
なお、第１の網点部（１２ａ’）、第１の潜像領域（１４ａ’）及び第２の潜像領域（１４ｂ’）の形状については、円形ドットで形成した。
【０１３５】
以上の構成により形成した証明書（１’）の印刷領域（２’）を、可視光源下の拡散光領域において肉眼で観察したところ、図１８（ａ）に示した可視画像（３’）が視認でき、図１８（ｂ）に示した潜像画像（４’）は確認することができなかった。
【０１３６】
また、その位置から正反射光領域まで証明書（１’）を傾けて印刷領域（２’）を観察したところ、図１８（ｂ）に示した潜像画像（４’）が視認でき、逆に、図１８（ａ）に示した可視画像（３’）を確認することはできなかった。
【符号の説明】
【０１３７】
１          潜像画像を有する印刷物
１’          証明書
２、２’          印刷領域
３、３’          可視画像
４、４’          潜像画像
５、５’          第１の層
６、６’          第２の層
７、７’          第３の層
８、８’          基材
９          第１のくり抜き領域
１０、１０’          第１の隠蔽領域
１１、１１’          第２の隠蔽領域
１２、１２’          第１の領域
１２ａ、１２ａ’          第１の網点部
１３、１３’          第２の領域
１３ａ          第２のくり抜き領域
１３ｂ、１３ｂ’、１５          カムフラージュ領域
１４          潜像領域
１４ａ、１４ａ’          第１の潜像領域
１４ｂ、１４ｂ’          第２の潜像領域
Ｒ          可視光源
【図１】
2011218741.tif 000003
【図２】
2011218741.tif 000004
【図３】
2011218741.tif 000005
【図４】
2011218741.tif 000006
【図５】
2011218741.tif 000007
【図６】
2011218741.tif 000008
【図７】
2011218741.tif 000009
【図８】
2011218741.tif 000010
【図９】
2011218741.tif 000011
【図１０】
2011218741.tif 000012
【図１１】
2011218741.tif 000013
【図１２】
2011218741.tif 000014
【図１３】
2011218741.tif 000015
【図１４】
2011218741.tif 000016
【図１５】
2011218741.tif 000017
【図１６】
2011218741.tif 000018
【図１７】
2011218741.tif 000019
【図１８】
2011218741.tif 000020
【図１９】
2011218741.tif 000021